(57)【特許請求の範囲】
【請求項１】
第１の音響位相及び第１の磁気位相を有するように構成された第１のオーディオコンポーネントと、
前記第１の音響位相、及び前記第１の磁気位相とは逆の第２の磁気位相を有するように構成された第２のオーディオコンポーネントと、を備え、
前記第１のオーディオコンポーネントは、前記第２のオーディオコンポーネントに対して、前記第１及び第２のオーディオコンポーネントの動作中に、前記第１のオーディオコンポーネントからの漂遊磁束が前記第２のオーディオコンポーネントに入るように配置され、
前記第１のオーディオコンポーネントは、前記第２のオーディオコンポーネントに対して、前記第１のオーディオコンポーネントからの漂遊磁束及び前記第２のオーディオコンポーネントからの漂遊磁束が単一の閉じた磁束ループを形成するように配置され、
ホール効果センサを更に備え、前記ホール効果センサは、前記第１のオーディオコンポーネントと前記第２のオーディオコンポーネントとの間に配置される、電子装置。
【請求項２】
前記第１及び第２のオーディオコンポーネントの少なくとも一方は、スピーカである、請求項１に記載の電子装置。
【請求項３】
前記第１のオーディオコンポーネントは前記ホール効果センサの付近に配置され、前記ホール効果センサは前記第２のオーディオコンポーネントの付近に配置される、請求項１に記載の電子装置。
【請求項４】
前記第１のオーディオコンポーネントは、前記第１の磁気位相を与えるように方向付けされた第１磁石を含む、請求項１に記載の電子装置。
【請求項５】
前記第１磁石は、前記第１の磁気位相を与えるように方向付けされる、請求項４に記載の電子装置。
【請求項６】
前記第２のオーディオコンポーネントは、前記第２の磁気位相を与えるように方向付けされた第２磁石を含む、請求項５に記載の電子装置。
【請求項７】
前記第２磁石は、前記第２の磁気位相を与えるように方向付けされる、請求項６に記載の電子装置。
【請求項８】
前記第１のオーディオコンポーネントは、第１のコイル型及び第１の導電性コイルを含み、前記第１のコイルは、前記第１のコイル型の少なくとも一部分の周りに巻かれる、請求項１に記載の電子装置。
【請求項９】
電子装置を製造する方法において、
電子装置内に第１のオーディオコンポーネントを配置する段階を備え、前記第１のオーディオコンポーネントは、第１の音響位相及び第１の磁気位相を与えるように配置され、  電子装置内に第２のオーディオコンポーネントを位置させる段階を更に備え、前記第２のオーディオコンポーネントは、前記第１の音響位相と、前記第１の磁気位相とは逆の第２の磁気位相とを与えるように位置され、前記第１及び第２のオーディオコンポーネントは、前記第１及び第２のオーディオコンポーネントの動作中に、前記第１及び第２の磁気位相が前記第１のオーディオコンポーネントからの漂遊磁束を前記第２のオーディオコンポーネントに入らせるように互いに方向付けされ、
前記第１及び第２のオーディオコンポーネントは、前記第１のオーディオコンポーネントからの漂遊磁束及び前記第２のオーディオコンポーネントからの漂遊磁束が単一の閉じた磁束ループを形成するように互いに方向付けされ、前記第１のオーディオコンポーネントは第１の導電性コイルを有する第１のスピーカであり、前記第２のオーディオコンポーネントは第２の導電性コイルを有する第２のスピーカであり、
前記第１の音響位相を提供するために、前記第１の導電性コイルに第１のオーディオ信号を印加するように、かつ前記第１の音響位相を提供するために、前記第２の導電性コイルに第２のオーディオ信号を印加するように、前記電子装置のオーディオソースを接続する段階をさらに備え、
前記第２のオーディオ信号は、前記第１のオーディオ信号を電気的に反転したものである、方法。
【請求項１０】
前記第１のオーディオコンポーネント及び第２のオーディオコンポーネントの少なくとも一方は、スピーカである、請求項９に記載の方法。
【請求項１１】
前記配置する段階は、前記第１のオーディオコンポーネントの第１磁石が第１の方向となるように前記第１のオーディオコンポーネントを方向付けすることを含む、請求項９に記載の方法。
【請求項１２】
前記位置させる段階は、前記第２のオーディオコンポーネントの第２磁石が前記第１の方向とは逆の第２の方向となるように前記第２のオーディオコンポーネントを方向付けすることを含む、請求項１１に記載の方法。
【請求項１３】
前記第１及び第２のオーディオコンポーネントは、前記第１及び第２のオーディオコンポーネントの動作中に、前記第１及び第２の磁気位相が、前記第２のオーディオコンポーネントからの漂遊磁束を前記第１のオーディオコンポーネントへ入れさせるように互いに方向付けされる、請求項９に記載の方法。
【請求項１４】
前記第１の音響位相を提供するために、前記第１のオーディオコンポーネントは第１の導電性コイルを有する第１のスピーカであり、前記第２のオーディオコンポーネントは第２の導電性コイルを有する第２のスピーカであり、
前記第１の音響位相を提供するために、前記電子装置のオーディオソースは、前記第１の導電性コイルに第１のオーディオ信号を印加するように、かつ前記第２の導電性コイルに第２のオーディオ信号を印加するように接続され、
前記第２のオーディオ信号は、前記第１のオーディオ信号を電気的に反転したものである、請求項１に記載の電子装置。
【請求項１５】
前記第２のオーディオ信号は、（１）前記オーディオソースの第１の電気接続と比較して、前記オーディオソースの第２の電気接続を電気的に反転すること、または（２）インバータ、増幅器、デジタル信号処理チェーン、又は前記電子装置のオーディオソースのうちの１つを使用して、前記第１のオーディオ信号と比較して、前記第２のオーディオ信号を電気的に反転すること、のうちの１つによって、電気的に反転される、請求項１４に記載の電子装置。
【請求項１６】
前記第２のオーディオ信号は、（１）前記オーディオソースの第１の電気接続と比較して、前記オーディオソースの第２の電気接続を電気的に反転すること、または（２）インバータ、増幅器、デジタル信号処理チェーン、又は前記電子装置のオーディオソースのうちの１つを使用して、前記第１のオーディオ信号と比較して、前記第２のオーディオ信号を電気的に反転すること、のうちの１つによって、電気的に反転される、請求項９に記載の方法。
【発明の詳細な説明】
【技術分野】
【０００１】
本発明は、漂遊磁束を減少するシステム及び方法に関するもので、より詳細には、電子装置のスピーカからの漂遊磁束の作用を減少するためのシステム及び方法に関する。
【背景技術】
【０００２】
電子装置、特に、ポータブル電子装置（例えば、ラップトップコンピュータ、タブレット及びセルラー電話）が小型化され続けるにつれて、装置のコンポーネントが互いに接近配置され続けている。電気力学的トランスジューサ（例えば、スピーカ）のような装置コンポーネントは、しばしば、その付近の磁気感知装置コンポーネント（例えば、ホールセンサ及びハードドライブ）を破壊するおそれのある漂遊磁束を発生する。漂遊磁束を磁気感知コンポーネントから充分に離さないと、それらのコンポーネントが故障し及び／又は電子装置にダメージを引き起こすことがある。そのような漂遊磁束干渉を減少する慣習的な方法は、漂遊磁束を発生するコンポーネントの周囲、及び／又は漂遊磁束から保護されるべきコンポーネントの周囲にシールドを設けることである。しかしながら、そのようなシールドは、装置内の貴重なスペースを占有する。
【発明の概要】
【発明が解決しようとする課題】
【０００３】
電子装置の漂遊磁束を減少するためのシステム及び方法を提供する。
【課題を解決するための手段】
【０００４】
少なくとも１つの実施形態において、電子装置が提供される。電子装置は、第１の音響位相及び第１の磁気位相を有するように構成された第１のオーディオコンポーネントと、第１の音響位相、及び第１の磁気位相とは逆の第２の磁気位相を有するように構成された第２のオーディオコンポーネントとを備えている。第１のオーディオコンポーネントは、第２のオーディオコンポーネントに対して、第１及び第２のオーディオコンポーネントの動作中に第１のオーディオコンポーネントからの漂遊磁束が第２のオーディオコンポーネントに入るように配置される。例えば、漂遊磁束は、第２のオーディオコンポーネントに入ってその磁束ループを完成するように促進される。
【０００５】
少なくとも１つの実施形態において、電子装置を製造する方法が提供される。この方法は、電子装置内に第１のオーディオコンポーネントを配置することを含む。第１のオーディオコンポーネントは、第１の音響位相及び第１の磁気位相を与えるように配置される。又、この方法は、電子装置内に第２のオーディオコンポーネントを位置させることも含む。第２のオーディオコンポーネントは、第１の音響位相と、第１の磁気位相とは逆の第２の磁気位相とを与えるように位置される。又、第１及び第２のオーディオコンポーネントは、第１及び第２のオーディオコンポーネントの動作中に第１及び第２の磁気位相が第１のオーディオコンポーネントからの漂遊磁束を第２のオーディオコンポーネントに入らせるように互いに方向付けすることができる。例えば、漂遊磁束は、第２のオーディオコンポーネントに入ってその磁束ループを完成するように促進される。
【０００６】
本発明の前記及び他の態様、その性質、及び種々の特徴は、全体にわたって同じ部分が同じ参照文字で示された添付図面を参照した以下の詳細な説明を検討したときに明らかとなるであろう。
【図面の簡単な説明】
【０００７】
【図１】本発明の少なくとも１つの実施形態による電子装置の簡単な回路図である。
【図２】本発明の少なくとも１つの実施形態による図１の電子装置を開いた位置で見た上部前面右側斜視図である。
【図３】本発明の少なくとも１つの実施形態による図１及び２の電子装置を閉じた位置で見た下部後面左側斜視図である。
【図４】本発明の少なくとも１つの実施形態によるスピーカアッセンブリの部分断面図である。
【図５】本発明の少なくとも１つの実施形態による対応スピーカの一対の隣接磁石アッセンブリを示す断面図である。
【図６】本発明の少なくとも１つの実施形態による対応スピーカの異なる一対の磁石アッセンブリを示す断面図である。
【発明を実施するための形態】
【０００８】
電子装置の漂遊磁束を減少するシステム及び方法が提供され、図１−６を参照して説明する。
【０００９】
図１は、漂遊磁束又は漏洩磁束を減少するように構成された電子装置１００の簡単な回路図である。電子装置１００は、ポータブル、移動又はハンドヘルド電子装置である。或いは又、電子装置１００は、ポータブルではなく、一般的な固定のものでよい。電子装置１００は、これに限定されないが、音楽プレーヤ（例えば、カリフォルニア州クパチーノのアップル・インクにより入手できるｉＰｏｄ（登録商標））、ビデオプレーヤ、静止画像プレーヤ、ゲームプレーヤ、他のメディアプレーヤ、音楽レコーダ、映画又はビデオカメラ或いはレコーダ、スチールカメラ、他のメディアレコーダ、無線、医療装置、家庭用機器、運送用乗物機器、音楽機器、計算器、セルラー電話（例えば、アップル・インクにより入手できるｉＰｈｏｎｅ（登録商標））、他のワイヤレス通信装置、パーソナルデジタルアシスタント、リモートコントロール、ページャー、デスクトップコンピュータ（例えば、カリフォルニア州クパチーノのアップル・インクにより入手できるｉＭａｃ（登録商標））、ラップトップコンピュータ（例えば、カリフォルニア州クパチーノのアップル・インクにより入手できるＭａｃＢｏｏｋ（登録商標））、タブレット（例えば、カリフォルニア州クパチーノのアップル・インクにより入手できるｉＰａｄ（登録商標））、サーバー、モニタ、テレビジョン、ステレオ装置、セットアップボックス、セットトップボックス、ブームボックス、モデム、ルーター、プリンタ、及びその組み合わせを含む。
【００１０】
電子装置１００は、プロセッサ又はコントロール回路１０２と、メモリ１０４と、通信回路１０６と、電源１０８と、入力コンポーネント１１０と、出力コンポーネント１１２とを備えている。又、電子装置１００は、装置１００の種々のコンポーネントへ、コンポーネントから、又はコンポーネント間にデータ及び／又は電力を転送するための１つ以上のワイヤード又はワイヤレス通信リンク又は経路を与えるバス１１４も備えている。ある実施形態では、電子装置１００の１つ以上のコンポーネントは、結合されてもよいし又は省略されてもよい。更に、電子装置１００は、図１に含まれない又は組み合わされない他のコンポーネントを含んでもよい。例えば、電子装置１００は、コンパス、ポジショニング回路、及び／又は図１に示す１つ以上のコンポーネントの多数のインスタンスを含んでもよい。簡単化のために、図１には、各コンポーネントが１つしか示されていない。
【００１１】
メモリ１０４は、１つ以上の記憶媒体を含み、例えば、ハードディスクドライブ（ＨＤＤ）、フラッシュメモリ、リードオンリメモリ（ＲＯＭ）のような永久的メモリ、ランダムアクセスメモリ（ＲＡＭ）のような半永久的メモリ、他の適当な形式の記憶コンポーネント、又はその組み合わせを含む。メモリ１０４は、電子装置アプリケーションのためのデータを一時的に記憶するのに使用されるメモリの１つ以上の異なる形式であるキャッシュメモリを含む。メモリ１０４は、メディアデータ（例えば、音楽及び画像ファイル）、ソフトウェア（例えば、装置１００の機能を具現化するための）、ファームウェア、好みの情報（例えば、メディア再生の好み）、ライフスタイル情報（例えば、食品の好み）、運動情報（例えば、運動監視装置で得た情報）、取り引き情報（例えば、クレジットカード情報のような情報）、ワイヤレス接続情報（例えば、装置１００でワイヤレス接続を確立できるようにする情報）、契約情報（例えば、ユーザが契約するポッドキャスト、又はテレビジョンショー、又は他のメディアを追跡する情報）、連絡先情報（例えば、電話番号及びｅ−メールアドレス）、カレンダー情報、他の適当なデータ、或いはその組み合わせを記憶する。
【００１２】
通信回路１０６は、装置１００が適当な通信プロトコルを使用して１つ以上の他の電子装置又はサーバーと通信できるようにするために設けられる。例えば、通信回路１０６は、Ｗｉ−Ｆｉ（例えば、８０２．１１プロトコル）、Ｅｔｈｅｒｎｅｔ（登録商標）、Ｂｌｕｅｔｏｏｔｈ（登録商標）、高周波システム（例えば、９００ＭＨｚ、２．４ＧＨｚ、及び５．６ＨＧｚ通信システム）、赤外線、送信コントロールプロトコル／インターネットプロトコル（ＴＣＰ／ＩＰ）（例えば、ＴＣＰ／ＩＰレイヤの各々に使用されるプロトコルのいずれか）、ハイパーテキスト転送プロトコル（ＨＴＴＰ）、ＢｉｔＴｏｒｒｅｎｔ（登録商標）、ファイル転送プロトコル（ＦＴＰ）、リアルタイム搬送プロトコル（ＲＴＰ）、リアルタイムストリーミングプロトコル（ＲＴＳＰ）、セキュアなシェルプロトコル（ＳＳＨ）、他の通信プロトコル、又はその組み合わせをサポートする。又、通信回路１０６は、装置１００を別の装置（例えば、ホストコンピュータ又はアクセサリ装置）に電気的に結合しそしてその別の装置とワイヤレスで又はワイヤード接続を経て通信できるようにする回路も含む。
【００１３】
電源１０８は、装置１００のコンポーネントの１つ以上に電力を供給する。ある実施形態では、電源１０８は、電力グリッドに結合される（例えば、装置１００がデスクトップコンピュータのようなポータブル装置でないとき）。ある実施形態では、電源１０８は、電力を供給するための１つ以上のバッテリを含む（例えば、装置１００がセルラー電話のようなポータブル装置であるとき）。別の例として、電源１０８は、自然ソースから電力を発生するように構成される（例えば、太陽セルを使用したソーラ電源）。
【００１４】
ユーザが装置１００と相互作用し又はインターフェイスできるようにするため１つ以上の入力コンポーネント１１０が設けられる。例えば、入力コンポーネント１１０は、種々の形態をとることができ、これに限定されないが、タッチパッド、ダイヤル、クリックホイール、スクロールホイール、タッチスクリーン、１つ以上のボタン（例えば、キーボード）、マウス、ジョイスティック、トラックボール、マイクロホン、カメラ、接近センサ、ホール効果センサ、光検出器、動きセンサ、及びその組み合わせを含む。各入力コンポーネント１１０は、動作する装置１００に関連したコマンドを発行し又は選択を行うための１つ以上の専用のコントロール機能を与えるように構成される。
【００１５】
又、電子装置１００は、装置１００のユーザに情報（例えば、グラフィック、可聴及び／又は触覚情報）を提示する１つ以上の出力コンポーネント１１２も備えている。例えば、出力コンポーネント１１２は、種々の形態をとることができ、これに限定されないが、オーディオスピーカ、ヘッドホン、信号ラインアウト、視覚ディスプレイ、アンテナ、赤外線ポート、ランブラー、バイブレータ、及びその組み合わせを含む。
【００１６】
１つ以上の入力コンポーネント１１０及び１つ以上の出力コンポーネント１１２は、ここでは、総体的に、入力／出力（Ｉ／Ｏ）コンポーネント又はＩ／Ｏインターフェイスとも時々称される。例えば、入力コンポーネント１１０及び出力コンポーネント１１２は、ディスプレイスクリーンのユーザタッチを通して入力情報を受け取り且つ同じディスプレイスクリーンを経てユーザに視覚情報を与えるタッチスクリーンのような単一のＩ／Ｏコンポーネントのことも時々ある。
【００１７】
装置１００のプロセッサ１０２は、電子装置１００の１つ以上のコンポーネントの動作及び性能をコントロールするように働く処理回路を含む。例えば、プロセッサ１０２は、オペレーティングシステムアプリケーション、ファームウェアアプリケーション、グラフィック編集アプリケーション、メディア再生アプリケーション、メディア編集アプリケーション、又は他のアプリケーションを実行するのに使用される。ある実施形態では、プロセッサ１０２は、入力コンポーネント１１０から入力信号を受信し、及び／又は出力コンポーネント１１２を通して出力信号を駆動する。プロセッサ１０２は、入力コンポーネント１１０を経て受け取られるインストラクション又はデータで、情報が記憶されて出力コンポーネント１１２を経てユーザに与えられる仕方をどのように操作するか決定するために、ユーザインターフェイスプログラム（例えば、装置１００によりアクセス可能なメモリ１０４又は別の装置又はサーバーに記憶されたプログラム）をロードする。
【００１８】
又、電子装置１００には、装置１００の外部の破片や他の質低下力から保護するために装置１００の１つ以上のコンポーネントを少なくとも部分的に包囲するハウジング１０１も設けられる。ある実施形態では、ハウジング１０１は、装置１００の種々の電子的コンポーネントを配置できる空洞を画成する多数の壁を含む。ある実施形態では、ハウジング１０１は、装置１００の種々の電子的コンポーネント、例えば、１つ以上の入力／出力（Ｉ／Ｏ）コンポーネント１１０、及び／又はＩ／Ｏコンポーネント１１２を、ハウジング１０１の壁の表面に又は表面を通過する開口内に支持する。ある実施形態では、１つ以上のコンポーネントがそれ自身のハウジングコンポーネント内に設けられる（例えば、入力コンポーネント１１０は、それ自身のハウジングコンポーネント内の独立したキーボード又はマウスあって、これは、それ自身のハウジングコンポーネント内に設けられたプロセッサ１０２とワイヤレスで又はワイヤを経て通信する）。ハウジング１０１は、これに限定されないが、金属（例えば、鋼、銅、チタン、アルミニウム、及び種々の金属合金）、セラミック、プラスチック、ガラス、及びその組み合わせを含む様々な材料から形成することができる。又、ハウジング１０１は、電子装置１００の形状又は形態を画成する上でも役立つ。即ち、ハウジング１０１の輪郭は、電子装置１００の外部の物理的な見掛けを具現化する。
【００１９】
電子装置１００は、図２及び３ではラップトップコンピュータとして示されているが、電子装置１００は、ここに述べるように、いずれの形式の電子装置でもよいことに注意されたい。図２及び３に示すように、電子装置１００のハウジング１０１は、ヒンジ又はクラッチアッセンブリにより一緒に結合される２つのハウジングコンポーネントをなすように構成される。より詳細には、ハウジング１０１は、ベースハウジングコンポーネント１０１ａ及びディスプレイハウジングコンポーネント１０１ｂを含み、これらは、クラッチアッセンブリ１０１ｃとしても知られているヒンジアッセンブリ１０１ｃにより互いに結合される。これらのハウジングコンポーネント１０１ａ、１０１ｂ及び１０１ｃは、ヒンジアッセンブリ１０１ｃのヒンジ軸Ｈの周りで矢印Ｏの方向にベースハウジングコンポーネント１０１ａから離れるようにディスプレイハウジングコンポーネント１０１ｂを回転することにより、電子装置１００が使用のために「開けられ」（例えば、図２を参照）、そしてヒンジ軸Ｈの周りで矢印Ｃの方向にベースハウジングコンポーネント１０１ａに向かってディスプレイハウジングコンポーネント１０１ｂを回転することにより、電子装置１００が「閉じられる」（例えば、図３を参照）ように、構成される。しかしながら、装置１００のハウジング１０１は、一例に過ぎず、ヒンジで結合される２つの実質的に六面体部分を含む必要はない。例えば、ある実施形態では、装置１００のハウジングは、一般的に、これに限定されないが、実質的に球状、楕円状、円錐状、八面体状、及びその組み合わせである１つ以上のハウジングコンポーネント又は部分を含む他の適当な形状で形成することもできる。
【００２０】
ベースハウジングコンポーネント１０１ａは、上壁１２１、上壁１２１とは逆の下壁１２６、及び種々の側壁、例えば、前壁１２２、前壁１２２とは逆の後壁１２３、右壁１２４、及び右壁１２４とは逆の左壁１２５を含む。ある実施形態では、電子装置１００の１つ以上のコンポーネントを少なくとも部分的に露出させるためにハウジングコンポーネント１０１ａの１つ以上の壁を通して１つ以上の開口が設けられる。例えば、図２に示したように、電子装置１００の入力コンポーネント１１０ａを少なくとも部分的に露出させるためにベースハウジングコンポーネント１０１ａの上壁１２１を通して少なくとも１つの開口１３１が設けられる。ある実施形態では、例えば、図２に示すように、電子装置１００の各出力コンポーネント１１２ａ、１１２ｂ、１１２ｃ及び１１２ｄを少なくとも部分的に露出させるためにベースハウジングコンポーネント１０１ａの上壁１２１を通して開口１４１ａ、１４１ｂ、１４１ｃ及び１４１ｄが設けられる。
【００２１】
同様に、ディスプレイハウジングコンポーネント１０１ｂは、上壁１６１、上壁１６１とは逆の下壁（図示せず）、及び種々の側壁、例えば、前壁１６２、前壁１６２とは逆の後壁１６３、右壁１６４、及び右壁１６４とは逆の左壁１６５を含む。ある実施形態では、電子装置１００の１つ以上のコンポーネントを少なくとも部分的に露出させるためにハウジングコンポーネント１０１ｂの１つ以上の壁を通して１つ以上の開口が設けられる。例えば、図２に示すように、電子装置１００の出力コンポーネント１１２ｃを少なくとも部分的に露出させるためにディスプレイハウジングコンポーネント１０１ｂの上壁１６１を通して開口１５１が設けられる。
【００２２】
入力コンポーネント１１０ａは、図２ではキーボードとして示されているが、ハウジングコンポーネント１０１ａの上壁１２１を通して開口１３１により露出される入力コンポーネント１１０ａは、ここに述べるように、いずれの形式の入力コンポーネント１１０でもよい。更に、出力コンポーネント１１２ａ、１１２ｂ、１１２ｃ及び１１２ｄは、図２では、オーディオスピーカとして示されているが、ハウジングコンポーネント１０１ａの上壁１２１を通して各開口１４１ａ−１４１ｄにより露出される出力コンポーネント１１２ａ、１１２ｂ、１１２ｃ及び１１２ｄの各々は、ここに述べるように、いずれの形式の出力コンポーネント１１２でもよい。同様に、出力コンポーネント１１２ｃは、図２では視覚ディスプレイとして示されているが、ハウジングコンポーネント１０１ｂの上壁１６１を通して開口１５１により露出される出力コンポーネント１１２ｃは、ここに述べるように、いずれの形式の出力コンポーネント１１２でもよい。
【００２３】
図４は、図２の１つ以上のオーディオスピーカ１１２ａ、１１２ｂ、１１２ｃ及び１１２ｄと同様の規範的なオーディオスピーカアッセンブリ４１２の詳細な断面図である。図４に示すように、下部ヨーク４７２と上部プレート４７８との間には、永久磁石４７６を使用して、磁気エアギャップ４７７が形成される。下部ヨーク４７２、永久磁石４７６、及び上部プレート４７８は、ここでは、総体的に磁石アッセンブリ４７０と称される。
【００２４】
導電性ボイスコイル４８２が型４８８の周りに巻かれるか、さもなければ、それに結合される。コイル４８２は、電流がコイル４８２の部分４８１では＋Ｘ方向（例えば、紙面から出る方向）に流れそしてコイル４８２の部分４８３では−Ｘ方向（例えば、紙面へ向かう方向）に流れるように、巻くことができる。
【００２５】
フレーム４９０は、磁石アッセンブリ４７０に結合されそしてそこから延びる。ダイアフラム又はコーン４９２は、軸Ａの周りをフレーム４９０の上部４９５から型４８８の上部へ延びる。周囲部４９４は、コーン４９２及び型４８８を懸架しそして上部プレート４７８を中心にそれらを維持し且つ整列させるように働く一方、磁石アッセンブリ４７０の磁気エアギャップ４７７内でボイスコイル４８２及び型４８８を軸Ａに沿って軸方向に移動できるようにも働く。
【００２６】
交流電流（例えば、増幅器のような装置１００のオーディオソースによって与えられる音声電気信号）がボイスコイル４８２（例えば、図４に示すような）を通過するときに、コイル４８２は、ギャップ４７７の静磁界による力を受ける。これは、ローレンツ力(Lorentz force)と一般的に称されるもので、ギャップ４７７の静磁界とコイル４８２の電流とのクロス積である。この力は、コイル４８２の電流の方向に基づいて符号（又は方向）を交番させ、コーン４９２及び周囲部４９４を±Ｚ方向に変位させて、音波を発生することができる。
【００２７】
スピーカは断面で示されているが（例えば、スピーカは、図４の軸Ａのような軸線又は中心線の周りで一般的に円筒対称又は回転対称であるので）、当業者であれば、そのようなスピーカの三次元構造が明らかであると共に、ここに述べる１つ以上のスピーカが必ずしも軸方向対称でなくてもよいことが明らかであろう。更に、図４は、磁石アッセンブリがコイル４８２の内部に配置された軸方向対称のスピーカを示しているが、軸方向対称のスピーカは、コイル４８２の外部に磁石アッセンブリを配置したものでもよいことが明らかであろう。
【００２８】
上述したように、装置は、互いに隣接配置された２つ以上の出力コンポーネント又はスピーカを備えている。典型的な装置では、これらのスピーカ各々の磁石アッセンブリは、同様に方向付けされ、そして同じ磁気位相を与えることができる。図５は、磁石アッセンブリ４７０と各々同様の対応スピーカ（図示せず）の一対の磁石アッセンブリ５７０及び５７１の断面図である。図５に示すように、磁石アッセンブリ５７０は、磁束路５４１を与えるように方向付けされ、そして磁石アッセンブリ５７１は、磁束路５４１と同じ磁気位相の同様の磁束路５４２を与えるように方向付けされる。しかしながら、磁束路５４１及び５４２の磁気位相は同じであるから、各磁束路から漂遊する磁束は、各磁石アッセンブリとで自己閉止磁束ループを形成する。図５に示すように、例えば、漂遊磁束Ｇｃは、自己閉止磁束ループ５４３を形成し、そして漂遊磁束Ｇｄは、自己閉止磁束ループ５４４を形成する。磁束ループ５４３及び５４４は、それ自身の磁束を有する磁石アッセンブリ５７０と５７１との間に位置されたコンポーネントと干渉し得る。例えば、図５に示すように、磁石アッセンブリ５７０と５７１との間で同じＸ−Ｙ平面に磁気感知入力装置コンポーネント５１４ｅが配置される。ある実施形態では、磁気感知入力コンポーネント５１４ｅは、ホール効果センサであるか、又は別のコンポーネントの漂遊磁束により影響される他の適当な入力コンポーネントである。例えば、図示されたように、磁気感知入力コンポーネント５１４ｅは、それを通して延びる（例えば、−Ｚ方向に）それ自身の磁束感知方向５３９を有する。漂遊磁束Ｇｃ及びＧｄにより磁気感知入力コンポーネント５１４ｅの磁束５３９に追加される付加的な磁束は、（例えば、漂遊磁束密度の破壊的又は建設的重畳により）入力コンポーネント５１４ｅの性能に悪影響を及ぼす。例えば、磁石を使用してスイッチをフリップするホール効果センサは、漏れ磁束が存在する場合には、早目にトリップされるか又はトリップ状態に保持される。
【００２９】
他の磁気感知装置コンポーネントに対する隣接スピーカ入力アッセンブリからの漂遊磁束の影響を減少するために、２つの隣接するスピーカアッセンブリは、磁気的に逆に方向付けされる。即ち、第１のスピーカアッセンブリは、近方の第２のスピーカアッセンブリと同じ音響位相であるように構成されるが、第１のスピーカアッセンブリは、その第２のスピーカアッセンブリとは逆の磁気位相であるように構成されて、各スピーカアッセンブリの漂遊磁束が他のスピーカの磁束へ誘導されるようにする。これは、スピーカとスピーカとの間に完全に配置された感知装置から離れるように磁束を再分布させるか、又は磁束の方向を低感度のベクトルへ変更する（例えば、高感度のコンポーネントは、−Ｚ方向の漏洩しか感知しないので）。
【００３０】
図６は、磁石アッセンブリ２７０、５７０及び５７１と各々同様の対応スピーカ（図示せず）の一対の磁石アッセンブリ６７０及び６７１の断面図である。しかしながら、同じ位相の磁束路を形成するように方向付けされるのではなく、磁石アッセンブリ６７０及び６７１は、逆の磁気位相を生じるように方向付けされる。図６に示したように、例えば、磁石アッセンブリ６７０は、磁束路６３８を与えるように方向付けされ、一方、磁石アッセンブリ６７１は、逆の磁束路６３９を与えるように方向付けされる。このように方向付けされると、磁束路から漂遊する磁束は、単一の閉じた磁束ループを形成する。図６に示すように、例えば、漂遊磁束Ｇａ及びＧｂは、単一の閉じた磁束ループ６４０を形成するように合成される。磁束ループ６４０は、磁石アッセンブリ６７０と６７１との間のエリアから離れるように誘導されるので、磁束ループ６４０は、これら磁石アッセンブリ間に位置されたコンポーネントの磁束を妨げることはない（例えば、コンポーネント５１４ｅと同様で且つ同じＸ−Ｙ平面において磁石アッセンブリ６７０と６７１との間に位置された磁気感知入力装置コンポーネント６１４ｅ）。
【００３１】
それ故、別の磁気感知装置コンポーネントに対する隣接スピーカ入力アッセンブリからの漂遊磁束の作用は、２つの隣接するスピーカアッセンブリを磁気的に逆に向けることにより減少することができる。即ち、第１のスピーカアッセンブリは、近方の第２のスピーカアッセンブリと同じ音響位相であるように構成されるが、第１のスピーカアッセンブリは、その第２のスピーカアッセンブリとは逆の磁気位相であるように構成されて、各スピーカアッセンブリの漂遊磁束が他のスピーカの磁束へ誘導されるようにする（例えば、図６を参照して述べたように）。装置（例えば、装置１００）のオーディオソースと、逆の磁気位相の２つのスピーカアッセンブリのうちの一方のアッセンブリの電磁コイルの電気的接点との電気的接触を反転することにより、各アッセンブリの音響位相が保存される。或いは又、オーディオソース信号が、２つのスピーカアッセンブリの一方に印加される前に反転されてもよい。例えば、電気的接触を反転するのとは別に、１８０°インバータが、入力されるオーディオ電気信号の位相を反転してもよい。或いは又、スピーカ入力アッセンブリに信号を与える前に、増幅器又はデジタル信号処理チェーン又はオーディオソースがこれを行ってもよい。オーディオ電気信号は、スピーカアッセンブリの各々（例えば、スピーカアッセンブリ１１２ａ及び１１２ｂ、或いは磁石アッセンブリ６７０及び６７１に対応する一対のスピーカアッセンブリ）に印加される前に１つ以上の仕方でフィルタリングされてもよいことを理解されたい。例えば、スピーカアッセンブリ１１２ａは、ツイータのスピーカであってもよく、スピーカアッセンブリ１１２ａは、ウーハーのスピーカでもよく、又、異なる周波数範囲のオーディオ電気信号が異なるスピーカアッセンブリ１１２ａ及び１１２ｂに印加されてもよい。
【００３２】
漂遊磁束の作用を減少するためのシステム及び方法について以上に述べたが、本発明の精神及び範囲から逸脱せずに多数の変更がなされ得ることを理解されたい。当業者により検討されて、現在明らかである又は今後案出される請求項要旨の想像上の変更は、請求の範囲内の等効物として特に意図される。それ故、当業者に現在又は今後明らかとなる明らかな置き換えは、ここに定義される要素の範囲内に入るものとされる。種々の方向及び向きの用語、例えば、「上方」及び「下方」、「上部」及び「下部」、「左」及び「右」、「長さ」及び「巾」、「水平」及び「垂直」、等は、便宜的なものに過ぎず、これらの語を使用することで固定又は絶対的な方向又は向きの制限は意図されない。例えば、本発明の装置は、望ましい向きをもつことができる。向きを直す場合には、異なる方向又は向きの用語をそれらの説明に使用する必要があるが、本発明の精神及び範囲内でそれらの基本的な特徴を変更するものではない。
【００３３】
それ故、当業者であれば、例示のためのもので限定を意図していない前記実施形態以外のもので本発明を実施できることが明らかであろう。
【符号の説明】
【００３４】
１００：電子装置
１０１：ハウジング
１０１ａ：ベースハウジングコンポーネント
１０１ｂ：ディスプレイハウジングコンポーネント
１０１ｃ：ヒンジアッセンブリ
１０２：プロセッサ
１０４：メモリ
１０６：通信回路
１０８：電源
１１０：入力コンポーネント
１１２：出力コンポーネント
１２１：上壁
１２２：前壁
１２３：後壁
１２４：右壁
１２５：左壁
１２６：下壁
１３１、１４１、１５１：開口
１６１：上壁
１６２：前壁
１６３：後壁
１６４：右壁
１６５：左壁
４７０：磁石アッセンブリ
４７２：下部ヨーク
４７６：永久磁石
４７７：磁気エアギャップ
４７８：上部プレート
４８２：コイル
４８８：型
４９０：フレーム
４９２：コーン
４９４：周囲部
４９５：フレームの上部
【図１】
0005896381.tif 000002
【図２】
0005896381.tif 000003
【図３】
0005896381.tif 000004
【図４】
0005896381.tif 000005
【図５】
0005896381.tif 000006
【図６】
0005896381.tif 000007